(57)【特許請求の範囲】
【請求項１】
タンクの上部周囲の屋根やウインドガーダー、ゲージングホームなどの歩廊に設けられている手摺の外側面に所定間隔を設けて固定金具を溶接し、この固定金具の上部張出部間にワイヤロープを張設して形成したタンク手摺用の鳥避け装置において、
上記固定金具は手摺の外側の水平方向から上方に向かって湾曲し上部張出部を内側に向け延出して形成するか或いは上部張出部を三角形状の山形に形成し、かつその先端部を手摺の上部から内側の歩廊方向へ張出さないように形成し、上記ワイヤロープはこの張出部に一本或いは複数本を隔離して設けた挿通口に水平或いは山形の中央上部と両側下部へ立体的に張設形成したことを特徴とするタンク手摺用の鳥避け装置。
【発明の詳細な説明】
【技術分野】
【０００１】
この発明は、液体や気体、粉体などを貯蔵するタンクの上部周囲に設けられている手摺に取付けるタンク手摺用の鳥避け装置に関するものである。
【背景技術】
【０００２】
一般に鳥害、鳥が止ったり侵入して鳥の糞等で汚染されることを防止するためには、鳥の飛来を防止するネットや忌避物を設けたり、鳥が止まらないよう阻害する突出物、回転体などが設けられている。
殊に、電線や手摺、ベランダなど鳥が止まって鳥害を発生する場所には、種々の鳥避け装置が考えられている。
【０００３】
特許文献１（実公平７−３３５４８号公報）「飛来鳥防止器具」には、架線に対して揺動、左右動自在に装着する複数個の環状体を有し、その下部間に平行な重錘支持棒で連結して形成し、鳥が飛来して止まった時に揺動、回転する構成が開示されている。
【０００４】
特許文献２（登録実用新案  第３０４３５３６号公報）「鳥避け装置」には、鳥がよく止まる固定部材に所定間隔を置いて複数個の支持装置を設置し、この支持装置間に緊張状態で且つ着脱自在に一本若しくは複数本の線状体を具備し、この線状体は取付具で着脱自在に係止する構成が開示されている。
【０００５】
特許文献３（登録実用新案  第３０４６４７３号公報）「害鳥防止具」には、害鳥が止まる可能性のある鉄骨にクランプ部材を取付け、この上面から鉛直に起立する板バネを設け、この板バネの頂きに鉄骨とほぼ並行となる方向に切断可能な材質よりなる鳥追い細棒を取付ける構成が開示されている。
【０００６】
また、特許文献４（特開平７−１１１８５１号公報）「鳥止りの防止具」は、構築物の上面から所定間隔上方に、上面に沿って複数の線材を張設し、この各線材は互いに所定間隔離れてほぼ平行に設けた構造が開示されている。
【先行技術文献】
【特許文献】
【０００７】
【特許文献１】実公平７−３３５４８号公報
【特許文献２】登録実用新案  第３０４３５３６号公報
【特許文献３】登録実用新案  第３０４６４７３号公報
【特許文献４】特開平７−１１１８５１号公報
【発明の概要】
【発明が解決しようとする課題】
【０００８】
一般に、鳥の飛来を防止するネットや忌避物、鳥が止まらないようにする突出物、回転体などは、電線や建物のベランダなど設置場所が限定されていた。
【０００９】
特許文献１（実公平７−３３５４８号公報）「飛来鳥防止器具」には、架線に対して揺動、左右動自在に装着する複数個の環状体を有し、その下部間に平行な重錘支持棒で連結して形成し、鳥が飛来して止まった時に揺動、回転する構成が開示されているが、歩廊の手摺に設置するものではない。
【００１０】
特許文献２（登録実用新案  第３０４３５３６号公報）「鳥避け装置」には、鳥がよく止まる固定部材に所定間隔を置いて複数個の支持装置を設置し、この支持装置間に緊張状態で且つ着脱自在に一本若しくは複数本の線状体を具備し、この線状体は取付具で着脱自在に係止する構成が開示されているが、取付具の構造が複雑で設置が大変であった。
【００１１】
特許文献３（登録実用新案  第３０４６４７３号公報）「害鳥防止具」には、害鳥が止まる可能性のある鉄骨にクランプ部材を取付け、この上面から鉛直に起立する板バネを設け、この板バネの頂きに鉄骨とほぼ並行となる方向に切断可能な材質よりなる鳥追い細棒を取付ける構成が開示されているが、鉄骨に取付ける構造であって手摺に取付けるのには向いていなかった。
【００１２】
また、特許文献４（特開平７−１１１８５１号公報）「鳥止りの防止具」は、構築物の上面から所定間隔上方に、上面に沿って複数の線材を張設し、この各線材は互いに所定間隔離れてほぼ平行に設けた構造が開示されているが、長い手摺に沿って取付けるのには向いていなかった。
【００１３】
この発明は上述のような従来技術が有する問題点に鑑みてなされたもので、その目的とするところは、タンクの上部周囲に設けられている手摺に取付け、タンクの点検や修理作業時に手摺りの使用を阻害することなく、鳥が飛来して止まるのを防止するタンク手摺用の鳥避け装置を提供する。
【課題を解決するための手段】
【００１５】
請求項１のタンク手摺用の鳥避け装置は、タンクの上部周囲の屋根やウインドガーダー、ゲージングホームなどの歩廊に設けられている手摺の外側面に所定間隔を設けて固定金具を溶接し、この固定金具の上部張出部間にワイヤロープを張設して形成したタンク手摺用の鳥避け装置において、上記固定金具を手摺の外側の水平方向から上方に向かって湾曲し上部張出部を内側に向け延出して形成するか或いは上部張出部を三角形状の山形に形成し、かつその先端部を手摺の上部から内側の歩廊方向へ張出さないように形成し、上記ワイヤロープはこの張出部に一本或いは複数本を隔離して設けた挿通口に水平或いは山形の中央上部と両側下部へ立体的に張設形成したことを特徴とする。
【発明の効果】
【００１８】
請求項１のタンク手摺用の鳥避け装置は、タンクの上部周囲の屋根やウインドガーダー、ゲージングホームなどの歩廊に設けられている手摺の外側面に所定間隔を設けて固定金具を溶接し、この固定金具の上部張出部間にワイヤロープを張設して形成したタンク手摺用の鳥避け装置において、上記固定金具を手摺の外側の水平方向から上方に向かって湾曲し上部張出部を内側に向け延出して形成するか或いは上部張出部を三角形状の山形に形成し、かつその先端部を手摺の上部から内側の歩廊方向へ張出さないように形成し、上記ワイヤロープはこの張出部に一本或いは複数本を隔離して設けた挿通口に水平或いは山形の中央上部と両側下部へ立体的に張設形成したので、
手摺の内側である歩廊側に突出して通行の邪魔になることがなく、溶接で確り手摺に固着しているため強風などで動いたり外れたりすることがなく、鳥が飛来して手摺に止まるのを防止することができる。
タンクの巡回点検作業やメンテナンス補修作業時に手摺を掴むのに邪魔になることがなく、鳥避けのために手摺の上部を広い範囲でカバーすることが出来る。
山形に隔離して複数本立体的にワイヤロープを張設することにより、上から前方側面の広範囲にわたって手摺の上方をカバーするため、鳥が近寄るのを防ぎ、さらに止り難くなるため、鳥の飛来による止まりを一層効果的に阻止することができる。
手摺を掴む人の手は固定金具とワイヤロープに阻害されることなく差入れることができる。

【図面の簡単な説明】
【００２０】
【図１】本発明に係るタンク手摺用の鳥避け装置を設けるタンク全体を示す側面説明図である。
【図２】タンク手摺に鳥避け装置を設置した状況を示す側面説明図である。
【図３】ウインドガーダーの手摺に鳥避け装置を設けた状況を示す平面説明図である。
【図４】ゲージングホームの手摺に鳥避け装置を設けた状況を示す平面説明図である。
【図５】手摺に取付けた鳥避け装置の詳細を示す側面説明図である。
【図６】鳥避け装置の第１の実施形態例を示す斜視説明図である。
【図７】第１の実施形態例の側面説明図である。
【図８】鳥避け装置の第２の実施形態例を示す斜視説明図である。
【図９】第２の実施形態例の側面説明図である。
【発明を実施するための形態】
【００２１】
本発明に係るタンク手摺用の鳥避け装置の実施形態例について図１から図９を参照しながら説明する。本発明は下記の実施形態にのみ限定されるものではない。本発明の要旨を逸脱しない範囲で下記の実施形態に変更（例えば構成要素の省略または付加、構成要素の形状の変更等）を加えることが出来るのはもちろんである。なお、図は概略を示すもので、一部のみを描き詳細構造は省略した。
【００２２】
図１は、本発明に係るタンク手摺用の鳥避け装置５を設けるタンク全体を示す側面説明図である。
１は浮屋根式やドーム屋根式などの平底円筒形のタンクで、この側板２の上部周囲の屋根部やウインドガーダー、ゲージングホームなどの歩廊３には周方向に沿った長い距離にわたって手摺４が設けられている。この手摺４の上部に、鳥避け装置５を設置する。
【００２３】
図２は、タンク１の手摺４に鳥避け装置５を設置した状況を示す側面説明図である。
タンク１の屋根部やウインドガーダーの歩廊３の上部外周には、隔離して立設し支柱４
ａと、その間に渡した中間枠４ｂと、その上部に手摺４が設けられている。この手摺４の
上部に沿って設ける鳥避け装置５は、隔離して手摺４に固着する固定金具５ａと、この固
定金具５ａ間に張設するワイヤロープ５ｂとで形成する。このワイヤロープ５ｂは、鳥が
止り難い極細のピアノ線や縒り線を使用し、一本或いは複数本を隔離して張設する。
【００２４】
図３はウインドガーダー昇降口近傍の手摺４に鳥避け装置５を設けた状況を示す平面説明図である。
ウインドガーダーの歩廊３外周の手摺４、およびこの歩廊３への昇降口３ａの手摺４のそれぞれに固定金具５ａを固着し、この固定金具５ａ間にワイヤロープ５ｂを張設する。
【００２５】
図４はゲージングホームの手摺４に鳥避け装置５を設けた状況を示す平面説明図である
。
ゲージングホームの作業床３ｂ外周の手摺４、およびこの作業床３ｂへの昇降階段３ｃの
手摺４のそれぞれに固定金具５ａを固着し、この固定金具５ａ間にワイヤロープ５ｂを張
設する。
【００２６】
図５は、手摺４に取付けた鳥避け装置５を示す。
手摺４の外側面に所定間隔を置いて薄板材よりなる固定金具５ａを固着部６で溶接し、この固定金具５ａの上部近傍に設けた挿通口９にワイヤロープ５ｂを挿通して張設する。このように、固着部６は溶接で手摺４に確りと固着しているため、取り付け易く点検や塗装のメンテナンスもやり易い。
７はワイヤロープ５ｂの張強度を調整するターンバックル、８はワイヤロープ５ｂを固着するアイボルト・六角ナット、９はワイヤロープ５ｂを通してガイドするとともに、両端部ではアイボルト・六角ナット８で固定するための挿通口である。このワイヤロープ５ｂの設置構造は、取付け取外しが可能で、張力調整もやり易い。
ワイヤロープ５ｂは、直径０．３ミリから１ミリメートル程度のスチールワイヤーやステンレスワイヤーからなるピアノ線、或いは直径１ミリから数ミリメートルのステンレスワイヤロープ、被覆ワイヤロープなどを使用する。
【００２７】
図６及び図７に鳥避け装置５の第１の実施形態例を示す。
タンク手摺用の鳥避け装置５を構成する固定金具５ａは、手摺４の外側の水平方向から上方に向かって湾曲し上部を内側に向け延出し図の一点鎖線に示す基準線Ｌ以内に形成し、上記ワイヤロープ５ｂはこの張出部に隔離して設けた挿通口９に水平に張設する。
【００２８】
手摺４は直径３０ミリから６０ミリメートル程度のパイプ材で、この手摺４の上部ワイヤロープ５ｂまでの距離は５０ミリから１２０ミリメートル程度として、鳥が入り込み難い間隔とし、図７のように手摺４を掴む人の手１０は固定金具５ａとワイヤロープ５ｂに阻害されることなく差入れることができ、さらに作業者の安全ベルトのフックが引っ掛けられる間隔とする。
【００２９】
図６及び図７に示すように水平に隔離して張設するワイヤロープ５ｂは、２０ミリから５０ミリメートル程度の間隔をとり、水平の広い範囲にわたって手摺４の上部をカバーして鳥が飛来して止まるのを防止する。このワイヤロープ５ｂの本数は、図示例のように３本、或いは必要に応じて増減することもできる。
【００３０】
図８及び図９に鳥避け装置５の第２の実施形態例を示す。
タンク手摺用の鳥避け装置５を構成する固定金具ａの上部張出部は三角形状の山形に延出し、その先端部は図の一点鎖線に示す基準線Ｌ以内に形成し、上記ワイヤロープ５ｂは山形の中央上部と両側下部に設けた挿通口９に立体的に張設（三角形の一点鎖線を参照）する。
【００３１】
図９に示す第２の実施形態例の鳥避け装置５は、挿通口９を３本から１本追加（破線で示す）した場合を示す。この挿通口９にもワイヤロープを張ることによって、鳥の飛来による前方からの侵入をより効果的に防ぐことができる。
手摺４を掴む人の手１０は、図９のように固定金具５ａとワイヤロープ５ｂに阻害されることなく差入れることができ、さらに作業者の安全ベルトのフックを引っ掛けることもできる。
【００３２】
図８及び図９に示すように、山形に隔離して複数本立体的にワイヤロープ５ｂを張設する
ことにより、上から前方側面の広範囲にわたって手摺４の上方をカバーするため、鳥が近
寄るのを防ぎ、さらに鳥が止り難く一層効果的である。
【００３３】
図６から図９に示すように、固定金具５ａは固着部６を手摺４の外側面に溶接し、水平から垂直へ、さらに垂直から水平に湾曲させ、手摺４の上部から基準線Ｌで示す内側の歩廊３方向へ張出さないようにワイヤロープ５ｂを複数本隔離して設けているため、手摺４の上部を広域にカバーして鳥が止まるのを防止することができる。
さらに手摺４を掴む人の手１０は固定金具５ａとワイヤロープ５ｂに阻害されることなく差入れて掴み、さらに作業者は安全ベルトのフックを手摺４に引っ掛けて点検や補修などのメンテナンスを行うことが出来る。
【産業上の利用可能性】
【００３４】
上記鳥避け装置の構造は、タンクの手摺に採用するばかりでなく、サイロや煙突、倉庫などの建築物に設けられている手摺などにも採用することができる。
【符号の説明】
【００３５】
１タンク      
２側板      
３歩廊      
３ａ昇降口      
３ｂ作業床      
３ｃ昇降階段      
４手摺      
４ａ支柱      
４ｂ中間枠      
５鳥避け装置      
５ａ固定金具      
５ｂワイヤロープ      
６固着部      
７ターンバックル      
８アイボルト・六角ナット      
９挿通口      
１０手      
【図１】
0006024875.tif 000002
【図２】
0006024875.tif 000003
【図３】
0006024875.tif 000004
【図４】
0006024875.tif 000005
【図５】
0006024875.tif 000006
【図６】
0006024875.tif 000007
【図７】
0006024875.tif 000008
【図８】
0006024875.tif 000009
【図９】
0006024875.tif 000010